【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
複数のスレーブ局と、これらスレーブ局を制御するマスタ局とを有し、複数のスレーブ局とマスタ局とを半二重通信線で接続し、マスタ局から複数のスレーブ局へ向かって下り通信フレーム信号を送信し、この逆方向に上り通信フレーム信号を送信する通信システムにおいて、
前記マスタ局は、前記下り通信フレーム信号に、前記複数のスレーブ局のうち応答要求対象となる任意数のスレーブ局を特定局並びに当該特定局以外の局として指定する指定情報を重畳する第１の通信手段を備え、
前記スレーブ局は、受信信号が前記下り通信フレーム信号か、前記上り通信フレーム信号かを判断し、前記下り通信フレーム信号と判断された際に、この信号中の指定情報で自局が前記特定局として指定されている場合、当該指定情報に自局の固有情報を書込んだ上り通信フレーム信号を送信し、また、前記上り通信フレーム信号と判断された際に、前記下り通信フレーム信号中の指定情報で自局が前記特定局以外の局として指定されている場合、当該指定情報に自局の固有情報を書込んだ上り通信フレーム信号を送信する第２の通信手段とを備えた
ことを特徴とする通信システム。
【請求項２】
前記第１の通信手段は、前記指定情報にて応答要求対象となる任意数のスレーブ局を指定する際に、予め各スレーブ局に昇又は降順に割り当てられた局番の中から応答要求の開始局番並びに当該開始局番の次の局番から応答要求の終了局番までの局番範囲を指定し、
前記第２の通信手段は、前記下り通信フレーム信号と判断された際に、この信号中の指定情報で自局局番が前記開始局番として指定されている場合、当該指定情報に自局局番を書込んだ上り通信フレーム信号を送信し、また、前記上り通信フレーム信号と判断された際に、前記下り通信フレーム信号中の指定情報の局番範囲に自局局番が含まれる場合、自局局番の１つ前の局番のスレーブ局からの上り通信フレーム信号の応答送信終了後に、当該指定情報に自局局番を書込んだ上り通信フレーム信号を送信する
ことを特徴とする請求項１に記載の通信システム。
【請求項３】
複数のスレーブ局と、これらスレーブ局を制御するマスタ局とを有し、複数のスレーブ局とマスタ局とを全二重通信線で接続し、マスタ局から複数のスレーブ局へ向かって下り通信フレーム信号を送信し、この逆方向に上り通信フレーム信号を送信する通信システム
において、
前記マスタ局は、前記下り通信フレーム信号に、前記複数のスレーブ局のうち応答要求対象となる任意数のスレーブ局を特定局並びに当該特定局以外の局として指定する指定情報を重畳する第３の通信手段を備え、
前記スレーブ局は、前記下り通信フレーム信号を受信した際に、この信号中の指定情報で自局が前記特定局として指定されている場合、当該指定情報に自局の固有情報を書込んだ上り通信フレーム信号を送信し、また、前記上り通信フレーム信号を受信した際に、前記下り通信フレーム信号中の指定情報で自局が前記特定局以外の局として指定されている場合、当該指定情報に自局の固有情報を書込んだ上り通信フレーム信号を送信する第４の通信手段とを備えた
ことを特徴とする通信システム。
【請求項４】
前記第３の通信手段は、前記指定情報にて応答要求対象となる任意数のスレーブ局を指定する際に、予め各スレーブ局に昇又は降順に割り当てられた局番の中から応答要求の開始局番並びに当該開始局番の次の局番から応答要求の終了局番までの局番範囲を指定し、
前記第４の通信手段は、前記下り通信フレーム信号を受信した際に、この信号中の指定情報で自局局番が前記開始局番として指定されている場合、当該指定情報に自局局番を書込んだ上り通信フレーム信号を送信し、また、前記上り通信フレーム信号を受信した際に、前記下り通信フレーム信号中の指定情報の局番範囲に自局局番が含まれる場合、自局局番の１つ前の局番のスレーブ局からの上り通信フレーム信号の応答送信終了後に、当該指定情報に自局局番を書込んだ上り通信フレーム信号を送信する
ことを特徴とする請求項３に記載の通信システム。
【手続補正２】
【補正対象書類名】明細書
【補正対象項目名】００１０
【補正方法】変更
【補正の内容】
【００１０】
上記目的を達成するために、本発明の請求項１による通信システムは、複数のスレーブ局と、これらスレーブ局を制御するマスタ局とを有し、複数のスレーブ局とマスタ局とを半二重通信線で接続し、マスタ局から複数のスレーブ局へ向かって下り通信フレーム信号を送信し、この逆方向に上り通信フレーム信号を送信する通信システムにおいて、前記マスタ局は、前記下り通信フレーム信号に、前記複数のスレーブ局のうち応答要求対象となる任意数のスレーブ局を特定局並びに当該特定局以外の局として指定する指定情報を重畳する第１の通信手段を備え、前記スレーブ局は、受信信号が前記下り通信フレーム信号か、前記上り通信フレーム信号かを判断し、前記下り通信フレーム信号と判断された際に、この信号中の指定情報で自局が前記特定局として指定されている場合、当該指定情報に自局の固有情報を書込んだ上り通信フレーム信号を送信し、また、前記上り通信フレーム信号と判断された際に、前記下り通信フレーム信号中の指定情報で自局が前記特定局以外の局として指定されている場合、当該指定情報に自局の固有情報を書込んだ上り通信フレーム信号を送信する第２の通信手段とを備えたことを特徴とする。
【手続補正３】
【補正対象書類名】明細書
【補正対象項目名】００１１
【補正方法】変更
【補正の内容】
【００１１】
この構成によれば、半二重方式の通信システムにおいて、マスタ局は、任意数のスレーブ局を応答要求対象とする指示を１回の下り通信フレーム信号の送信で行うことができる。スレーブ局は、マスタ局からの下り通信フレーム信号を受信した際に、この信号中の指
定情報で自局が前記特定局として指定されている場合自局に対する応答要求があると判断して、自局の上り通信フレーム信号の応答送信をマスタ局に対して行うことができる。また、上り通信フレーム信号を受信した際に、前記下り通信フレーム信号中の指定情報で自局が前記特定局以外の局として指定されている場合自局に対する応答要求があると判断して、自局の上り通信フレーム信号の応答送信をマスタ局に対して行うことができる。このように、マスタ局から下り通信フレーム信号を１回送信のみで、複数のスレーブ局が上り通信フレーム信号の応答送信を行うことができる。これによって、従来のように、マスタ局からスレーブ局毎に応答要求を送信する必要が無くなるので、その分、応答を得るまでの時間を大幅に短縮することができる。
【手続補正４】
【補正対象書類名】明細書
【補正対象項目名】００１３
【補正方法】変更
【補正の内容】
【００１３】
また、本発明の請求項２による通信システムは、請求項１において、前記第１の通信手段は、前記指定情報にて応答要求対象となる任意数のスレーブ局を指定する際に、予め各スレーブ局に昇又は降順に割り当てられた局番の中から応答要求の開始局番並びに当該開始局番の次の局番から応答要求の終了局番までの局番範囲を指定し、前記第２の通信手段は、前記下り通信フレーム信号と判断された際に、この信号中の指定情報で自局局番が前記開始局番として指定されている場合、当該指定情報に自局局番を書込んだ上り通信フレーム信号を送信し、また、前記上り通信フレーム信号と判断された際に、前記下り通信フレーム信号中の指定情報の局番範囲に自局局番が含まれる場合、自局局番の１つ前の局番のスレーブ局からの上り通信フレーム信号の応答送信終了後に、当該指定情報に自局局番を書込んだ上り通信フレーム信号を送信することを特徴とする。
【手続補正５】
【補正対象書類名】明細書
【補正対象項目名】００１５
【補正方法】変更
【補正の内容】
【００１５】
また、本発明の請求項３による通信システムは、複数のスレーブ局と、これらスレーブ局を制御するマスタ局とを有し、複数のスレーブ局とマスタ局とを全二重通信線で接続し、マスタ局から複数のスレーブ局へ向かって下り通信フレーム信号を送信し、この逆方向に上り通信フレーム信号を送信する通信システムにおいて、前記マスタ局は、前記下り通信フレーム信号に、前記複数のスレーブ局のうち応答要求対象となる任意数のスレーブ局を特定局並びに当該特定局以外の局として指定する指定情報を重畳する第３の通信手段を備え、前記スレーブ局は、前記下り通信フレーム信号を受信した際に、この信号中の指定情報で自局が前記特定局として指定されている場合、当該指定情報に自局の固有情報を書込んだ上り通信フレーム信号を送信し、また、前記上り通信フレーム信号を受信した際に、前記下り通信フレーム信号中の指定情報で自局が前記特定局以外の局として指定されている場合、当該指定情報に自局の固有情報を書込んだ上り通信フレーム信号を送信する第４の通信手段とを備えたことを特徴とする。
【手続補正６】
【補正対象書類名】明細書
【補正対象項目名】００１６
【補正方法】変更
【補正の内容】
【００１６】
また、本発明の請求項４による通信システムは、請求項３において、前記第３の通信手
段は、前記指定情報にて応答要求対象となる任意数のスレーブ局を指定する際に、予め各スレーブ局に昇又は降順に割り当てられた局番の中から応答要求の開始局番並びに当該開始局番の次の局番から応答要求の終了局番までの局番範囲を指定し、前記第４の通信手段は、前記下り通信フレーム信号を受信した際に、この信号中の指定情報で自局局番が前記開始局番として指定されている場合、当該指定情報に自局局番を書込んだ上り通信フレーム信号を送信し、また、前記上り通信フレーム信号を受信した際に、前記下り通信フレーム信号中の指定情報の局番範囲に自局局番が含まれる場合、自局局番の１つ前の局番のスレーブ局からの上り通信フレーム信号の応答送信終了後に、当該指定情報に自局局番を書込んだ上り通信フレーム信号を送信することを特徴とする。